(57)【要約】【課題】所定の空間における揮発性物質の濃度を目標とする濃度にすることができる揮発性物質放出管理装置、揮発性物質放出管理方法、及び揮発性物質放出管理プログラムを得る。【解決手段】揮発性物質放出管理装置は、対象の植物から放出される揮発性物質の濃度を計測し、計測した揮発性物質の濃度と、目標とする濃度との差分を算出し、処理内容ＤＢ３４を用いて、算出した差分だけ揮発性物質の濃度を増加させるための物理的処理及び化学的処理の少なくとも一方を導出し、導出した物理的処理及び化学的処理の少なくとも一方を出力する。【選択図】図２
2019074450.tif 000002
【特許請求の範囲】
【請求項１】
対象の植物から放出される揮発性物質の濃度を計測する計測部と、
前記計測部により計測された揮発性物質の濃度と、目標とする濃度との差分を算出する算出部と、
前記計測部による計測位置における前記対象の植物の種類に関する、物理的処理及び化学的処理の少なくとも一方を施して前記揮発性物質を前記対象の植物から放出させることを表す情報を用いて、前記差分だけ前記揮発性物質の濃度を増加させるための前記物理的処理及び前記化学的処理の少なくとも一方を導出する導出部と、
前記導出部により導出された物理的処理及び化学的処理の少なくとも一方を出力する出力部と、
を備えた揮発性物質放出管理装置。
【請求項２】
前記植物は、樹木であり、
前記計測部は、前記樹木の枝下よりも低い位置における前記揮発性物質の濃度を計測し、
前記導出部は、前記計測部による計測位置の高さに応じて、前記差分だけ前記揮発性物質の濃度を増加させるための前記物理的処理及び前記化学的処理の少なくとも一方を導出する
請求項１に記載の揮発性物質放出管理装置。
【請求項３】
対象の植物から放出される揮発性物質の濃度を計測する計測部により計測された揮発性物質の濃度と、目標とする濃度との差分を算出し、
前記計測部による計測位置における前記対象の植物の種類に関する、物理的処理及び化学的処理の少なくとも一方を施して前記揮発性物質を前記対象の植物から放出させることを表す情報を用いて、前記差分だけ前記揮発性物質の濃度を増加させるための前記物理的処理及び前記化学的処理の少なくとも一方を導出し、
導出した物理的処理及び化学的処理の少なくとも一方を出力する
処理をコンピュータが実行する揮発性物質放出管理方法。
【請求項４】
対象の植物から放出される揮発性物質の濃度を計測する計測部により計測された揮発性物質の濃度と、目標とする濃度との差分を算出し、
前記計測部による計測位置における前記対象の植物の種類に関する、物理的処理及び化学的処理の少なくとも一方を施して前記揮発性物質を前記対象の植物から放出させることを表す情報を用いて、前記差分だけ前記揮発性物質の濃度を増加させるための前記物理的処理及び前記化学的処理の少なくとも一方を導出し、
導出した物理的処理及び化学的処理の少なくとも一方を出力する
処理をコンピュータに実行させる揮発性物質放出管理プログラム。
【発明の詳細な説明】
【技術分野】
【０００１】
本発明は、揮発性物質放出管理装置、揮発性物質放出管理方法、及び揮発性物質放出管理プログラムに関する。
【背景技術】
【０００２】
従来、植物において、種々の病害の原因となる細菌等の繁殖を抑制したり、害虫等の食害を抑制したりするための抵抗性の誘導剤が知られている（特許文献１参照）。
【０００３】
また、アレロパシー効果を有するカワツルモを、藻類の抑制対象となる、新たな水が流入しない閉鎖水域の水底に、植栽密度を２〜５ｇ／Ｌに調整して植栽する藻類抑制方法が知られている（特許文献２参照）。
【０００４】
また、被検対象である１つ以上の植物を生育している区域において、植物から発せられる揮発性物質の濃度、揮発性物質の種類、揮発性物質として含有されている化合物の混合比率、及び上記区域内における揮発性物質の位置情報のうちの少なくとも１つの情報をモニタリングし、上記区域内の植物の状態を診断する植物の診断方法が知られている（特許文献３参照）。
【先行技術文献】
【特許文献】
【０００５】
【特許文献１】特許第４４０２３８６号
【特許文献２】特許第５７０７９５６号
【特許文献３】特開２０１６−６５８６８号公報
【発明の概要】
【発明が解決しようとする課題】
【０００６】
ところで、植物は、傷をつける等の物理的処理やサリチル酸及びジャスモン酸等の化学物質を塗布する等の化学的処理が施されることによって、揮発性物質を放出する場合がある。この場合、植物から揮発性物質を意図的に放出させることで、植物の周辺の所定の空間における揮発性物質の濃度を目標とする濃度にすることができる。しかしながら、上記特許文献１〜特許文献３では、植物から揮発性物質を意図的に放出させることは考慮されていない。
【０００７】
本発明は、以上の事情を鑑みて成されたものであり、所定の空間における揮発性物質の濃度を目標とする濃度にすることができる揮発性物質放出管理装置、揮発性物質放出管理方法、及び揮発性物質放出管理プログラムを提供することを目的とする。
【課題を解決するための手段】
【０００８】
上記目的を達成するために、本発明に係る揮発性物質放出管理装置は、対象の植物から放出される揮発性物質の濃度を計測する計測部と、前記計測部により計測された揮発性物質の濃度と、目標とする濃度との差分を算出する算出部と、前記計測部による計測位置における前記対象の植物の種類に関する、物理的処理及び化学的処理の少なくとも一方を施して前記揮発性物質を前記対象の植物から放出させることを表す情報を用いて、前記差分だけ前記揮発性物質の濃度を増加させるための前記物理的処理及び前記化学的処理の少なくとも一方を導出する導出部と、前記導出部により導出された物理的処理及び化学的処理の少なくとも一方を出力する出力部と、を備える。
【０００９】
なお、本発明に係る揮発性物質放出管理装置は、前記植物が、樹木であり、前記計測部が、前記樹木の枝下よりも低い位置における前記揮発性物質の濃度を計測し、前記導出部が、前記計測部による計測位置の高さに応じて、前記差分だけ前記揮発性物質の濃度を増加させるための前記物理的処理及び前記化学的処理の少なくとも一方を導出してもよい。
【００１０】
また、上記目的を達成するために、本発明に係る揮発性物質放出管理方法は、対象の植物から放出される揮発性物質の濃度を計測する計測部により計測された揮発性物質の濃度と、目標とする濃度との差分を算出し、前記計測部による計測位置における前記対象の植物の種類に関する、物理的処理及び化学的処理の少なくとも一方を施して前記揮発性物質を前記対象の植物から放出させることを表す情報を用いて、前記差分だけ前記揮発性物質の濃度を増加させるための前記物理的処理及び前記化学的処理の少なくとも一方を導出し、導出した物理的処理及び化学的処理の少なくとも一方を出力する処理をコンピュータが実行する方法である。
【００１１】
また、上記目的を達成するために、本発明に係る揮発性物質放出管理プログラムは、対象の植物から放出される揮発性物質の濃度を計測する計測部により計測された揮発性物質の濃度と、目標とする濃度との差分を算出し、前記計測部による計測位置における前記対象の植物の種類に関する、物理的処理及び化学的処理の少なくとも一方を施して前記揮発性物質を前記対象の植物から放出させることを表す情報を用いて、前記差分だけ前記揮発性物質の濃度を増加させるための前記物理的処理及び前記化学的処理の少なくとも一方を導出し、導出した物理的処理及び化学的処理の少なくとも一方を出力する処理をコンピュータに実行させるプログラムである。
【発明の効果】
【００１２】
本発明によれば、所定の空間における揮発性物質の濃度を目標とする濃度にすることができる。
【図面の簡単な説明】
【００１３】
【図１】実施形態に係る揮発性物質放出管理装置の概略構成を示す図である。
【図２】実施形態に係る端末の機能ブロック図である。
【図３】実施形態に係る管理台帳データベースに記憶される街路樹エントリの一例を示す図である。
【図４】実施形態に係る処理内容データベースの一例を示す図である。
【図５】実施形態に係る端末のハードウェア構成を示すブロック図である。
【図６】実施形態に係る処理方法導出処理の一例を示すフローチャートである。
【図７】実施形態に係る第１表示画面の一例を示す図である。
【図８】実施形態に係る第２表示画面の一例を示す図である。
【図９】実施形態に係る第３表示画面の一例を示す図である。
【図１０】実施形態に係る第４表示画面の一例を示す図である。
【図１１】実施形態に係る第５表示画面の一例を示す図である。
【発明を実施するための形態】
【００１４】
以下、図面を参照して、本発明を実施するための形態例を詳細に説明する。
【００１５】
まず、図１を参照して、本実施形態に係る揮発性物質放出管理装置１０の構成を説明する。図１に示すように、揮発性物質放出管理装置１０は、ＧＰＳ（Global Positioning System）機能を有する端末１２、及び街路樹から放出される揮発性物質（例えば、テルペン）の濃度を計測する計測部の一例としてのセンサ１４を備える。センサ１４は端末１２に接続され、端末１２はセンサ１４により計測された揮発性物質の濃度をセンサ１４から取得する。端末１２の例としては、スマートフォン、タブレットコンピュータ、及びラップトップ型コンピュータ等の情報処理装置が挙げられる。なお、以下では、図１に示すように、街路樹の枝下の高さを「高さＴ０」といい、センサ１４による揮発性物質の計測位置の高さ（例えば、１ｍ以上２ｍ以下の高さ）を「高さＴｓ」という。また、本実施形態では、一例として、高さＴｓが高さＴ０よりも低い場合について説明する。
【００１６】
次に、図２を参照して、本実施形態に係る端末１２の機能的な構成を説明する。図２に示すように、端末１２は、記憶部２０、取得部２２、受付部２４、算出部２６、導出部２８、及び出力部３０を備える。記憶部２０には、管理台帳データベース（ＤＢ）３２及び処理内容ＤＢ３４が記憶される。なお、管理台帳ＤＢ３２及び処理内容ＤＢ３４の少なくとも一方が、ネットワークを介して端末１２と通信可能な外部装置に記憶されていてもよい。
【００１７】
本実施形態に係る管理台帳ＤＢ３２は、街路樹を管理するためのデータベースである。管理台帳ＤＢ３２は、街路樹の植樹位置に対応する位置で計測したＧＰＳ計測結果を主キーとし、街路樹を撮像した街路樹画像、及び街路樹に関する各種情報を含む街路樹エントリを、街路樹毎に記憶する。街路樹エントリの項目には、一例として図３に示すように、『登録番号』、『基本情報』、『樹木形状』、『活力状況』、『植栽環境』、『揮発性物質』、及び『備考』が含まれる。
【００１８】
ここで、『登録番号』は、管理対象とする街路樹の極近傍でＧＰＳ観測により取得した位置情報である。このように、ＧＰＳ観測により取得した位置情報を用いて、管理対象となる各々の街路樹に「登録番号」を割り振る。
【００１９】
『基本情報』は、８つの項目「路線名」、「樹種名」、「植栽年」、「管理履歴」、「障害履歴」、「樹木価値」、「前回調査日時」、及び「全景写真」を有している。「樹種名」には、当該エントリ街路樹の樹木種名が記録される。
【００２０】
『樹木形状』は、８つの項目「樹高」、「幹周」、「枝張り」、「枝下高」、「根元周」、「樹木の傾き」、「樹齢」、及び「樹冠形状」を有している。「樹高」には、当該エントリ街路樹の高さが記録される。「枝下高」には、当該エントリ街路樹の根元から力枝（ちからえだ＝樹冠で最も長大な枝のこと）の下端部までの高さが記録される。
【００２１】
『揮発性物質』は、２つの項目「揮発性物質名」、及び「濃度範囲」を有している。「揮発性物質名」には、当該エントリ街路樹が放出する揮発性物質名が記録される。「濃度範囲」には、当該エントリ街路樹が放出する揮発性物質の濃度の下限値及び上限値が記録される。
【００２２】
本実施形態に係る処理内容ＤＢ３４は、センサ１４による計測位置における対象の街路樹の種類に関する、物理的処理及び化学的処理を施して揮発性物質を対象の街路樹から放出させることを表す情報を記憶する。図４に示すように、本実施形態に係る処理内容ＤＢ３４は、「樹種名」、「揮発性物質名」、「増加させる濃度」、「計測位置の高さ」、「物理的処理」、及び「化学的処理」を記憶する。「樹種名」列には、街路樹の樹木種名が記録される。「揮発性物質名」列には、街路樹が放出する揮発性物質名が記録される。「増加させる濃度」列には、増加させる揮発性物質の濃度の範囲が記録される。「計測位置の高さ」列には、揮発性物質の計測位置の高さＴｓの範囲が記録される。「物理的処理」には、街路樹に対する物理的処理の処理内容が記録される。「化学的処理」には、街路樹に対する化学的処理の処理内容が記録される。すなわち、処理内容ＤＢ３４には、樹種名、揮発性物質名、増加させる揮発性物質の濃度、及び揮発性物質の計測位置の高さの組合せ毎に、物理的処理及び化学的処理が記憶される。
【００２３】
取得部２２は、センサ１４により計測された街路樹が放出する揮発性物質の濃度を取得する。また、取得部２２は、ＧＰＳによって自端末の位置を示す位置情報を取得する。受付部２４は、ユーザによって入力された街路樹の揮発性物質名を受け付ける。また、受付部２４は、ユーザによって入力された揮発性物質の計測位置の高さＴｓ、及び揮発性物質の目標濃度を受け付ける。
【００２４】
算出部２６は、以下の（１）式に従って、受付部２４により受け付けられた目標濃度Ｃｓに対する、取得部２２により取得された揮発性物質の濃度Ｃｒの差分濃度Ｃｄを算出する。
Ｃｄ＝Ｃｓ−Ｃｒ・・・（１）
【００２５】
導出部２８は、管理台帳ＤＢ３２を参照し、取得部２２により取得された自端末の位置に最も近い位置の街路樹を示す街路樹エントリを特定する。また、導出部２８は、特定した街路樹エントリから、街路樹の樹木種名、街路樹の枝下の高さＴ０、及び受付部２４により受け付けられた揮発性物質名に対応する揮発性物質の濃度の範囲を取得する。また、導出部２８は、取得した街路樹の樹木種名、街路樹の枝下の高さＴ０、揮発性物質の濃度の範囲、及び受付部２４により受け付けられた揮発性物質名を出力部３０に出力する。
【００２６】
また、導出部２８は、処理内容ＤＢ３４を参照し、差分濃度Ｃｄだけ揮発性物質の濃度を増加させる物理的処理及び化学的処理を導出する。具体的には、導出部２８は、取得した街路樹の樹木種名と、受付部２４により受け付けられた揮発性物質名及び計測位置の高さＴｓと、差分濃度Ｃｄと、に対応して管理台帳ＤＢ３２の「物理的処理」列及び「化学的処理」列の各々に記憶された処理内容を、差分濃度Ｃｄだけ揮発性物質の濃度を増加させる物理的処理及び化学的処理として導出する。
【００２７】
出力部３０は、現在日時、導出部２８から入力された街路樹の樹木種名、街路樹の枝下の高さＴ０、揮発性物質の濃度の範囲、及び揮発性物質名を表す情報を、後述する表示装置５３に出力する。また、出力部３０は、導出部２８により導出された物理的処理及び化学的処理を示す情報を表示装置５３に出力する。
【００２８】
また、出力部３０は、揮発性物質の計測位置の高さＴｓ、及び目標濃度を入力するための表示画面を表す情報を表示装置５３に出力する。また、出力部３０は、取得部２２により取得された揮発性物質の濃度Ｃｒ、及び算出部２６により算出された差分濃度Ｃｄを示す情報を表示装置５３に出力する。
【００２９】
次に、図５を参照して、本実施形態に係る端末１２のハードウェア構成を説明する。端末１２は、図５に示すコンピュータで実現される。図５に示すように、端末１２は、ＣＰＵ（Central Processing Unit）５０、一時記憶領域としてのメモリ５１、及び不揮発性の記憶部５２を含む。また、端末１２は、液晶ディスプレイ等の表示装置５３、表示装置５３と一体化されたタッチパネル等の入力装置５４、及びネットワークに接続されるネットワークＩ／Ｆ（InterFace）５５を含む。ＣＰＵ５０、メモリ５１、記憶部５２、表示装置５３、入力装置５４、及びネットワークＩ／Ｆ５５は、バス５６に接続される。また、センサ１４は、不図示の入出力Ｉ／Ｆを介してバス５６に接続される。
【００３０】
記憶部５２は、ＨＤＤ（Hard Disk Drive）、ＳＳＤ（Solid State Drive）、及びフラッシュメモリ等によって実現される。記憶媒体としての記憶部５２には、処理方法導出プログラム５８が記憶される。ＣＰＵ５０は、記憶部５２から処理方法導出プログラム５８を読み出してからメモリ５１に展開し、展開した処理方法導出プログラム５８を実行する。ＣＰＵ５０が処理方法導出プログラム５８を実行することで、図２に示す取得部２２、受付部２４、算出部２６、導出部２８、及び出力部３０として機能する。また、図２に示す記憶部２０は、図５に示す記憶部５２によって実現される。
【００３１】
また、処理方法導出プログラム５８により実現される機能は、例えば半導体集積回路、より詳しくはＡＳＩＣ（Application Specific Integrated Circuit）等で実現することも可能である。
【００３２】
次に、図６を参照して、本実施形態に係る揮発性物質放出管理装置１０の作用を説明する。端末１２のＣＰＵ５０が処理方法導出プログラム５８を実行することによって、図６に示す処理方法導出処理が実行される。
【００３３】
図６のステップＳ１０で、受付部２４は、ユーザによって入力装置５４を介して入力された街路樹の揮発性物質名を受け付ける。ステップＳ１２で、取得部２２は、ＧＰＳによって自端末の位置を示す位置情報を取得する。また、導出部２８は、管理台帳ＤＢ３２を参照し、取得部２２により取得された自端末の位置に最も近い位置の街路樹を示す街路樹エントリを特定する。また、導出部２８は、特定した街路樹エントリから、街路樹の樹木種名、街路樹の枝下の高さＴ０、及びステップＳ１０で受け付けられた揮発性物質名に対応する揮発性物質の濃度の範囲を取得する。
【００３４】
ステップＳ１４で、出力部３０は、現在日時、ステップＳ１２で取得された街路樹の樹木種名、街路樹の枝下の高さＴ０、揮発性物質の濃度の範囲、及び揮発性物質名を示す情報を表示装置５３に出力する。ステップＳ１４の処理により、一例として図７に示すように、現在日時、街路樹の樹木種名、街路樹の枝下の高さＴ０、揮発性物質の濃度の範囲、及び揮発性物質名を表示する第１表示画面が表示装置５３に表示される。ユーザは、第１表示画面の内容を確認し、「ＯＫ」ボタンを指定する。第１表示画面において「ＯＫ」ボタンが指定されるとステップＳ１６の処理が実行される。
【００３５】
ステップＳ１６で、出力部３０は、揮発性物質の計測位置の高さＴｓ、及び目標濃度を入力するための第２表示画面を表す情報を表示装置５３に出力する。ステップＳ１６の処理により、一例として図８に示すように、第２表示画面が表示装置５３に表示される。ユーザは、入力装置５４を介して、揮発性物質の計測位置の高さＴｓ、及び目標濃度を入力し、かつセンサ１４を対象の街路樹の近傍の計測位置の高さＴｓに設置した後、「ＯＫ」ボタンを指定する。第２表示画面において「ＯＫ」ボタンが指定されるとステップＳ１８の処理が実行される。
【００３６】
ステップＳ１８で、受付部２４は、第２表示画面においてユーザにより入力された揮発性物質の計測位置の高さＴｓ、及び目標濃度Ｃｓを受け付ける。ステップＳ２０で、取得部２２は、センサ１４により計測された街路樹が放出する揮発性物質の濃度Ｃｒ（実測値）を取得する。ステップＳ２２で、算出部２６は、上記（１）式に従って、ステップＳ１８で受け付けられた目標濃度Ｃｓに対する、ステップＳ２０で取得された揮発性物質の濃度Ｃｒの差分濃度Ｃｄを算出する。
【００３７】
ステップＳ２４で、出力部３０は、ステップＳ２０で取得された揮発性物質の濃度Ｃｒ、及びステップＳ２２で算出された差分濃度Ｃｄを示す情報を表示装置５３に出力する。ステップＳ２４の処理により、一例として図９に示すように、揮発性物質の濃度Ｃｒ、及び差分濃度Ｃｄを表示する第３表示画面が表示装置５３に表示される。ユーザは、第３表示画面の内容を確認し、「ＯＫ」ボタンを指定する。第３表示画面において「ＯＫ」ボタンが指定されるとステップＳ２６の処理が実行される。
【００３８】
ステップＳ２６で、導出部２８は、ステップＳ２２で算出された差分濃度Ｃｄが０よりも高いか否かを判定する。この判定が肯定判定となった場合は、処理はステップＳ２８に移行する。ステップＳ２８で、導出部２８は、前述したように、処理内容ＤＢ３４を参照し、ステップＳ２２で算出された差分濃度Ｃｄだけ揮発性物質の濃度を増加させる物理的処理及び化学的処理を導出する。
【００３９】
ステップＳ３０で、出力部３０は、ステップＳ２８で導出された物理的処理及び化学的処理を示す情報を表示装置５３に出力する。ステップＳ３０の処理により、一例として図１０に示すように、物理的処理及び化学的処理を表示する第４表示画面が表示装置５３に表示される。ユーザは、第４表示画面の内容を確認し、必要に応じて物理的処理及び化学的処理の少なくとも一方を対象の街路樹に施す。ステップＳ３０の処理が終了すると、本処理方法導出処理が終了する。
【００４０】
また、ステップＳ２６の判定が否定判定となった場合は、処理はステップＳ３２に移行する。ステップＳ３２で、出力部３０は、対応が不要であることを示す情報を表示装置５３に出力する。ステップＳ３２の処理により、一例として図１１に示すように、揮発性物質の濃度の実測値が目標濃度より高いため対応が不要である旨を示すメッセージを表示する第５表示画面が表示装置５３に表示される。ステップＳ３２の処理が終了すると、本処理方法導出処理が終了する。
【００４１】
以上説明したように、本実施形態によれば、対象の街路樹から放出される揮発性物質の濃度の実測値と、目標濃度との差分を算出している。また、算出した差分だけ揮発性物質の濃度を増加させるための物理的処理及び化学的処理を導出し、導出した物理的処理及び化学的処理を出力している。従って、所定の空間における揮発性物質の濃度を目標とする濃度にすることができる。
【００４２】
また、本実施形態によれば、センサ１４による濃度の計測位置の高さに応じて物理的処理及び化学的処理を導出している。揮発性物質の大半は街路樹の枝上の葉から放出されており、枝下よりも下の部分では濃度の勾配が生じる。本実施形態では、センサ１４による濃度の計測位置の高さを考慮しているため、物理的処理及び化学的処理を精度良く導出することができる。この結果、所定の空間における揮発性物質の濃度を目標とする濃度にすることができる。
【００４３】
なお、上記実施形態において、端末１２が実行した処理方法導出処理を、ネットワークを介してセンサ１４に接続された情報処理装置が実行してもよい。
【００４４】
また、上記実施形態では、街路樹から放出される揮発性物質の濃度を差分濃度Ｃｄだけ増加させる物理的処理及び化学的処理を導出する場合について説明したが、これに限定されない。街路樹以外の樹木から放出される揮発性物質の濃度を差分濃度Ｃｄだけ増加させる物理的処理及び化学的処理を導出する形態としてもよいし、樹木以外の植物から放出される揮発性物質の濃度を差分濃度Ｃｄだけ増加させる物理的処理及び化学的処理を導出する形態としてもよい。例えば、対象の植物が花類の場合は、センサ１４はフェニルプロパノイドの濃度を計測する。また、例えば、対象の植物が草本類の場合は、センサ１４は青葉アルコールの濃度を計測する。また、物理的処理及び化学的処理の双方ではなく、物理的処理及び化学的処理の何れか一方を導出する形態としてもよい。
【００４５】
また、上記実施形態では、端末１２が、導出した物理的処理及び化学的処理を表示装置５３に表示する場合について説明したが、これに限定されない。導出した物理的処理及び化学的処理をスピーカー等の音声装置に出力する形態としてもよい。
【００４６】
また、上記実施形態では、処理方法導出プログラム５８が記憶部５２に予め記憶されている態様を説明したが、これに限定されない。処理方法導出プログラム５８は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、処理方法導出プログラム５８は、ネットワークを介して外部装置からダウンロードされる形態としてもよい。
【符号の説明】
【００４７】
１０  揮発性物質放出管理装置
１２  端末
１４  センサ
２０、５２  記憶部
２２  取得部
２４  受付部
２６  算出部
２８  導出部
３０  出力部
３２  管理台帳ＤＢ
３４  処理内容ＤＢ
５０  ＣＰＵ
５３  表示装置
５８  処理方法導出プログラム
【図１】
2019074450.tif 000003
【図２】
2019074450.tif 000004
【図３】
2019074450.tif 000005
【図４】
2019074450.tif 000006
【図５】
2019074450.tif 000007
【図６】
2019074450.tif 000008
【図７】
2019074450.tif 000009
【図８】
2019074450.tif 000010
【図９】
2019074450.tif 000011
【図１０】
2019074450.tif 000012
【図１１】
2019074450.tif 000013